(57)【要約】【課題】フルマルチヘッドの記録装置において、記録ヘッド間のつなぎ目を目立たなくする接合補正を適切に行うことができる。【解決手段】各プロセッサが、記録ヘッドのうち少なくとも１つを制御する複数のプロセッサと、各メモリが、複数のプロセッサのいずれかに対応し、対応するプロセッサが制御する記録ヘッドによって記録される領域に対応する記録データを記憶する複数のメモリと、記録媒体のずれ量および傾きのうち少なくとも一方を示す媒体配置情報を取得する取得手段と、各プロセッサの制御下で、媒体配置情報に応じて、対応するメモリが記憶する記録データを補正する位置補正手段と、各プロセッサの制御下で、位置補正処理が施された記録データであって、互いに隣接する記録ヘッドによって重複して記録される重複領域に対応する記録データに対して、記録ヘッド間のつなぎ目を目立たなくする接合補正処理を行う接合補正手段と、を備える。【選択図】図１
2017149117.tif 000002
【特許請求の範囲】
【請求項１】
インクを吐出するノズルを配列したノズル列を有する記録ヘッドを、互いに重複させて複数連結したフルマルチヘッドの記録装置において、
各プロセッサが、前記記録ヘッドのうち少なくとも１つを制御する複数のプロセッサと、
各メモリが、前記複数のプロセッサのいずれかに対応し、対応するプロセッサが制御する記録ヘッドによって記録される領域に対応する記録データを記憶する複数のメモリと、
記録媒体の所定位置に対する搬送方向またはノズル列方向のずれ量、および所定の搬送方向に対する前記記録媒体の傾きのうち少なくとも一方を示す媒体配置情報を取得する取得手段と、
前記各プロセッサの制御下で、前記媒体配置情報に応じて、対応するメモリが記憶する前記記録データを補正する位置補正処理を行う位置補正手段と、
前記各プロセッサの制御下で、前記位置補正処理が施された記録データであって、互いに隣接する記録ヘッドによって重複して記録される重複領域に対応する記録データに対して、記録ヘッド間のつなぎ目を目立たなくする接合補正処理を行う接合補正手段と、を備えることを特徴とする記録装置。
【請求項２】
前記接合補正手段は、
前記重複領域においていずれの記録ヘッドのノズルを使用するかを選択するための接合補正パターンを用いて前記接合補正処理を行う
請求項１に記載の記録装置。
【請求項３】
前記各メモリは、それぞれ、
少なくともノズル列方向の幅が異なる複数の前記接合補正パターンを記憶し、
前記接合補正手段は、
前記媒体配置情報と、前記重複領域の幅とに基づいて、前記接合補正処理を適用する領域のノズル列方向の幅を判定し、当該判定の結果に基づいて、複数の前記接合補正パターンの中から前記接合補正処理に用いる接合補正パターンを選択する
請求項２に記載の記録装置。
【請求項４】
前記接合補正手段は、
前記接合補正処理が適用される領域の搬送方向の各位置におけるノズル列方向の幅に対応させて、当該搬送方向の各位置について異なる幅の接合補正パターンを用いる
請求項３に記載の記録装置。
【請求項５】
前記位置補正手段は、前記位置補正処理において、
対応するメモリが記憶する前記記録データによって示される、前記記録媒体を基準とする座標系で表された前記インクの出力位置を、前記媒体配置情報に応じて座標変換して補正する
請求項１から請求項４のうちのいずれか１項に記載の記録装置。
【請求項６】
前記位置補正手段は、
前記インクの出力位置に対する、搬送方向の補正と、ノズル列方向の補正とを別々に実行し、
前記搬送方向の補正を、前記座標変換により実行し、
前記ノズル列方向の補正を、前記媒体配置情報から求めた遅延時間に基づいてインクの吐出タイミングを調整することにより、実行する
請求項５に記載の記録装置。
【請求項７】
インクを吐出するノズルを配列したノズル列を有する記録ヘッドを、互いに重複させて複数連結したフルマルチヘッドの記録装置であって、各プロセッサが、前記記録ヘッドのうち少なくとも１つを制御する複数のプロセッサと、各メモリが、前記複数のプロセッサのいずれかに対応し、対応するプロセッサが制御する記録ヘッドによって記録される領域に対応する記録データを記憶する複数のメモリと、を備える記録装置における記録方法であって、
記録媒体の所定位置に対する搬送方向またはノズル列方向のずれ量、および所定の搬送方向に対する前記記録媒体の傾きのうち少なくとも一方を示す媒体配置情報を取得する取得ステップと、
前記各プロセッサの制御下で、前記媒体配置情報に応じて、対応するメモリが記憶する前記記録データを補正する位置補正処理を行う位置補正ステップと、
前記各プロセッサの制御下で、前記位置補正処理が施された記録データであって、互いに隣接する記録ヘッドによって重複して記録される重複領域に対応する記録データに対して、記録ヘッド間のつなぎ目を目立たなくする接合補正処理を行う接合補正ステップと、を含む
ことを特徴とする記録方法。
【請求項８】
コンピュータを、請求項１から請求項６のいずれか１項に記載の記録装置の一部として機能させるためのプログラム。
【発明の詳細な説明】
【技術分野】
【０００１】
本発明は、印刷用紙等の記録媒体に記録を行う記録装置に関し、特に、インクを吐出するノズルを配列したノズル列を有する記録ヘッドを複数連結したフルマルチヘッドの記録装置に関するものである。
【背景技術】
【０００２】
記録媒体（紙など）に対して画像の記録を行う場合に、記録媒体の一辺（円状の記録媒体においてはその径）の長さ以上の直線状の記録部を用いて、当該一辺（または径）と交差する方向に記録媒体を搬送させながら記録する記録装置がある。このような記録装置では、上記一辺（または径）以上の長さを有する長尺な記録ヘッドが使用される。一方、単一の基板に多数のノズルを高密度に一列に配列することは、技術面、コスト面において多くの困難を伴う。そこで、上記一辺（または径）より短い記録ヘッドを複数連結させて構成された、つなぎ型ラインヘッド（以下、フルマルチヘッドという）が用いられる。フルマルチヘッドは、記録ヘッドのつなぎ目において途切れることなく画像等が記録できるように、隣接する記録ヘッドを互いに一部重複させて構成される。
【０００３】
一方、画像の高精細化に伴い、画像処理における演算量およびデータ量が増大している。そこで、フルマルチヘッドの記録装置においては、各記録ヘッドに対応させてデータパスを複数用意する。各データパスにおいて、各記録ヘッドに対応させて分割した、記録データの各領域に対して画像処理を並列に実行させることが有効である。しかし、複数のデータパスが単一のメモリを共有する構成では、メモリ帯域の制限により、並列に処理可能なデータパスの数を増やしても、ある一定以上の速度までしかデータ転送速度を向上させることができない。したがって、フルマルチヘッドの記録装置においては、分散メモリの構成により、データ転送も並列化可能にすることが好ましい。
【０００４】
また、短尺な記録ヘッドを複数連結するフルマルチヘッドの記録装置では、記録ヘッドの連結部分に対応する画像に発生する、画質の劣化が問題となっている。そこで、フルマルチヘッドの記録装置においては、記録ヘッドのつなぎ部分を目立たなくする接合補正処理が行われる。特許文献１には、記録ヘッドのオーバラップ領域において、一方の記録ヘッドに対応する記録ドットの濃度（記録デューティ）を徐々に減少させ、その減少を補完するように、他方の記録ヘッドに対応する記録ドットの濃度を徐々に増大させる方法が記載されている。
【先行技術文献】
【特許文献】
【０００５】
【特許文献１】特開平５−５７９６５号公報
【発明の概要】
【発明が解決しようとする課題】
【０００６】
上述したような分散メモリの構成では、各データパスにおいて、自身のデータパスに割り当てられるメモリ以外の他のメモリに格納された、記録データを直接参照することができない。しかしながら各データパスにおいて、記録媒体の搬送開始後に判明する記録媒体の位置ずれや傾きに応じて上記接合補正処理では、他のメモリに格納されている記録データを必要とする場合がある。そのため自身のデータパス以外に割り当てられたメモリに格納された記録データを参照するために、接合補正処理が印刷処理に対して間に合わなくなる可能性がある。
【０００７】
そこで、本発明は、記録データを分割して複数のメモリに記憶させる分散メモリの構成を有するフルマルチヘッドの記録装置において、記録データに対する接合補正処理を適切に行うことができるようにすることを目的とする。
【課題を解決するための手段】
【０００８】
本発明による記録装置は、インクを吐出するノズルを配列したノズル列を有する記録ヘッドを、互いに重複させて複数連結したフルマルチヘッドの記録装置において、各プロセッサが、記録ヘッドのうち少なくとも１つを制御する複数のプロセッサと、各メモリが、複数のプロセッサのいずれかに対応し、対応するプロセッサが制御する記録ヘッドによって記録される領域に対応する記録データを記憶する複数のメモリと、記録媒体の所定位置に対する搬送方向またはノズル列方向のずれ量、および所定の搬送方向に対する記録媒体の傾きとのうち少なくとも一方を示す媒体配置情報を取得する取得手段と、各プロセッサの制御下で、媒体配置情報に応じて、対応するメモリが記憶する記録データを補正する位置補正処理を行う位置補正手段と、各プロセッサの制御下で、位置補正処理が施された記録データであって、互いに隣接する記録ヘッドによって重複して記録される重複領域に対応する記録データに対して、記録ヘッド間のつなぎ目を目立たなくする接合補正処理を行う接合補正手段と、を備えることを特徴とする。
【発明の効果】
【０００９】
本発明によれば、記録データを分割して複数のメモリに記憶させる分散メモリの構成を有するフルマルチヘッドの記録装置において、記録ヘッド間のつなぎ目を目立たなくする接合補正処理を適切に行うことができる。
【図面の簡単な説明】
【００１０】
【図１】記録装置の構成の一例を示すブロック図である。
【図２】記録ヘッドの配置、および、記録データの領域分割について説明する図である。
【図３】記録媒体の位置ずれを説明するための図である。
【図４】記録媒体の傾きを説明するための図である。
【図５】接合補正処理に用いられる接合補正パターンの一例を示す図である。
【図６】接合補正パターンの生成方法を説明するための図である。
【図７】記録媒体が媒体センサによって検出される様子を示す図である。
【図８】位置補正部が行う補正処理を説明するための図である。
【図９】記録データが位置補正される様子を模式的に示す図である。
【発明を実施するための形態】
【００１１】
以下、図を参照して、本発明を実施する形態について説明する。なお、以下の実施例において示す構成は一例に過ぎず、本発明は図示された構成に限定されるものではない。
【００１２】
［実施例１］
図１は、記録装置の構成の一例を示すブロック図である。本実施例では、インクを吐出する吐出口（ノズル）を配列したノズル列を有する記録ヘッドを４つ連結した、フルマルチヘッドのインクジェット記録装置を例に説明を行う。図１に示すように本実施例における記録装置は、プロセッサ１０６，１０７と、メモリ１０８，１９０と、媒体配置情報取得部１１０と、記録ヘッド１７０〜１７３と、データパス１８０〜１８３とを備える。プロセッサ１０６およびメモリ１０８は互いに、ローカルバス１０４を介して接続され、１つの制御系を構成する。プロセッサ１０７およびメモリ１０９はローカルバス１０５を介して互いに接続され、１つの制御系を構成する。このように本実施例における記録装置は、２系統の制御系を有する。ローカルバス１０４，１０５はそれぞれ、バスブリッジ１０２，１０３を介して共有バス１０１と接続される。それにより、上記２系統の制御系が互いに接続される。
【００１３】
媒体配置情報取得部１１０は、記録媒体の所定位置に対するずれ量と傾きとのうち少なくとも一方を検出する。媒体配置情報取得部１１０は、ローカルバス１０４に接続される。プロセッサ１０６は、媒体配置情報取得部１１０により、出力動作毎に、記録媒体の位置について、所定位置からのずれ量を取得する。また、プロセッサ１０６は、媒体配置情報取得部１１０により、出力動作毎に、記録媒体の角度について、所定位置からの傾きを取得する。プロセッサ１０６は、取得した情報を媒体配置情報として、メモリ１０８等に格納する。また、プロセッサ１０７は、共有バス１０１を経由してプロセッサ１０６と相互に通信可能であり、プロセッサ１０６が取得した媒体配置情報を受け取ることが可能である。プロセッサ１０６，１０７は、上記媒体配置情報に基づいて、各部に対する設定を行う。
【００１４】
記録ヘッド１７０〜１７３は、それぞれ、記録媒体の搬送方向と交差する方向（本実施例では、直交する方向）に直線状に並んだノズルからインク滴を出力し、記録媒体上に直線状に並んだ点（ドット）を記録する。また、記録ヘッド１７０〜１７３は、搬送方向と交差する方向、すなわちノズル列方向に連結させて配置される。それにより、記録媒体に対して、各記録ヘッドの長さ以上の画像を記録することができる。また、本実施例では、記録ヘッドの境界部において記録が途切れないように、隣接する記録ヘッド同士を、所定の幅で互いに一部を重複させて配置する。それにより、記録ヘッドの境界部において、隣接する記録ヘッドのそれぞれが、記録媒体の同一位置に記録を行うことが可能となる。また、ノズル列方向と交差する方向（本実施例では、直交する方向）に、記録媒体と記録ヘッド１７０〜１７３とを相対的に移動させることで、記録媒体上に面状の記録が可能である。すなわち、本実施例では、図１における上方向が搬送方向となる。
【００１５】
出力すべき記録データは、メモリ１０８，１０９に分割して格納される。記録ヘッド１７０，１７１に対応する記録データはメモリ１０８に格納される。また、記録ヘッド１７２，１７３に対応する記録データはメモリ１０９に格納される。メモリ１０８に格納された記録データは、ローカルバス１０４、および、データパス１８０，１８１を経由して、記録ヘッド１７０，１７１に供給される。メモリ１０９に格納された記録データは、ローカルバス１０５、および、データパス１８２，１８３を経由して、記録ヘッド１７２，１７３に供給される。
【００１６】
データパス１８０は、ＤＭＡコントローラ１２０、位置補正部１３０、出力選択部１４０、出力バッファ１５０および出力インタフェース部１６０を含む。図１に示されるように、データパス１８１〜１８３も同様に、ＤＭＡコントローラ、位置補正部、出力選択部、出力バッファおよび出力インタフェース部を含む。また、図１に示されるように、データパス１８０，１８１はプロセッサ１０６の制御下にあり、データパス１８０の各部およびデータパス１８１の各部は、プロセッサ１０６によって制御される。同様に、データパス１８２，１８３はプロセッサ１０７の制御下にあり、データパス１８２の各部およびデータパス１８３の各部は、プロセッサ１０７によって制御される。以下では、データパス１８０の各部を説明する。
【００１７】
ＤＭＡコントローラ１２０は、メモリ１０８に格納された記録データのうち、記録ヘッド１７０で出力すべき部分を順次読み出し、位置補正部１３０に供給する。位置補正部１３０は、媒体配置情報取得部１１０によって得られた媒体配置情報に基づいて、記録データに対して、記録媒体の位置ずれや傾きに応じた補正を行う。出力選択部（以下、接合補正部ともいう）１４０は、位置補正部１３０による補正がなされた記録データに対して、後述する接合補正処理を実行する。このため出力選択部１４０は、複数の記録ヘッド（ここでは、記録ヘッド１７０，１７１）で同一位置に記録が可能な領域について、いずれの記録ヘッドを使用するかを選択する。出力バッファ１５０は、所定の速度でノズル列方向と交差する方向に相対的に移動する記録媒体に対する、記録ヘッドからの出力が途切れないように、出力すべき記録データを一時的に蓄積する。
【００１８】
出力インタフェース部１６０は、出力バッファに格納されたデータに基づいて記録ヘッド１７０を駆動する。出力インタフェース部１６０〜１６３には同期信号が入力され、各出力インタフェース部は、同期信号に合わせてインクの出力動作を行う。これにより、各出力インタフェースの出力動作が同期する。
【００１９】
記録装置は、さらに、電源部（図示せず）、記録媒体または記録ヘッド１７０〜１７３を移動させる駆動機構（図示せず）、出力すべき記録データを外部から取得するための入力インタフェース（図示せず）などの構成要素を備える。なお、図１では、プロセッサ１０６を有する制御系とプロセッサ１０７を有する制御系とのそれぞれに２系統のデータパスを接続させて、合計４系統の処理を並列に行う記録装置を例にした。ただし、記録装置が並列に行う処理は、４系統に限定されない。また、制御系の数や各制御系に接続されるデータパスの数は、必要な処理速度やデータ転送速度に応じて適宜決めればよい。
【００２０】
図２は、記録ヘッドの配置、および、記録データの領域分割について説明する図である。なお、図２では、記録ヘッドとメモリとの間のデータパスなどは省略されている。本実施例では、記録ヘッド１７０の左端（図２における左端）から記録ヘッド１７３の右端（図２における右端）までの長さが、記録媒体２００の幅（図２における左右方向の幅）以上になるように、隣接する記録ヘッドの一部を互いに重複させて配置する。なお、記録媒体が円状である場合には、その径以上になるように各記録ヘッドを配置すればよい。各記録ヘッドをそのように配置することにより、記録媒体２００上の領域２０２に対しては、記録ヘッド１７０と記録ヘッド１７１とのどちらを利用しても記録することが可能となる。メモリ１０８に格納された、領域２０２に対応する記録データは、位置補正部１３０と位置補正部１３１とに対して転送される。このとき、位置補正部１３０に対する転送は、ＤＭＡコントローラ１２０により行われる。また、位置補正部１３１に対する転送は、ＤＭＡコントローラ１２１により行われる。このように重複して転送された記録データは、後述するように、出力選択部１４０または出力選択部１４１において、出力位置ごとに、いずれか一方が選択される。ここで、出力位置とは、記録データに基づいて記録媒体上に出力されるインク滴の、当該記録媒体上おける目標位置をいう。
【００２１】
メモリ１０８は、記録ヘッド１７０，１７１に対応する記録データ（記録媒体上における領域２０１〜２０４に対応する記録データ）を格納する。同様に、メモリ１０９は、記録ヘッド１７２，１７３に対応する記録データ（記録媒体上における領域２０４〜２０７に対応する記録データ）を格納する。このように、領域２０４に対応する記録データは、メモリ１０８およびメモリ１０９に重複して格納される。これにより、後述する接合補正処理が、円滑に実施可能になる。
【００２２】
位置補正部１３０〜１３３はそれぞれ、媒体配置情報取得部１１０によって得られた媒体配置情報に基づいて、記録データに対して、記録媒体の位置ずれ、および、記録媒体の傾きに応じた補正を行う。図３は、記録媒体の位置ずれを説明するための図である。図３に示される破線の矩形は、記録媒体４００の標準位置（以下、媒体標準位置という）を表す。図３に示される変位量４０１は、左右方向（図３における左右方向）における位置ずれの成分、つまりノズル列方向における位置ずれの成分である。また変位量４０２は、上下方向（図３における上下方向）における位置ずれの成分、つまり搬送方向における位置ずれの成分である。記録媒体の位置ずれが左右方向の平行移動により生じた場合は、位置補正部１３０〜１３３は、変位量４０１に相当する補正をする。記録媒体の位置ずれが上下方向の平行移動により生じた場合は、位置補正部１３０〜１３３は、変位量４０２に相当する補正をする。変位量４０２に相当する補正は、記録媒体の搬送速度に応じて、対応する時間だけ、記録ヘッド１７０〜１７３の駆動タイミング（吐出タイミング）を一律にずらすことによって実現可能である。
【００２３】
図４は、記録媒体の傾きを説明するための図である。位置補正部１３０〜１３３は、記録媒体が位置ずれだけでなく傾きを伴う場合は、ノズル列方向の変位量５０１、搬送方向の変位量５０２および、媒体標準位置からの傾き５０３に相当する補正をすればよい。なお、記録媒体が傾きを伴う場合の補正処理については、図８，９を用いて後述する。
【００２４】
出力選択部１４０〜１４３はそれぞれ、複数の記録ヘッドから出力可能な領域について、いずれの記録ヘッドからインクを出力させるかを決定する。図２〜図４において網掛けで示される領域は、複数の記録ヘッドから出力可能な領域を示している。また、出力選択部１４０〜１４３は、使用する記録ヘッドのつなぎ目が目立たないようにするための接合補正処理を行う。
【００２５】
以下、図３に示す位置ずれに対する接合補正処理を説明する。上述したように図３に示す例では、媒体標準位置に対して、変位量４０１，４０２の位置ずれが生じている。図３に示す例において、記録ヘッド１７０，１７１の双方で出力可能な領域、すなわち、記録ヘッド１７０，１７１によって重複して記録される重複領域は、網かけで示される領域４１４である。領域４１４は、記録ヘッド１７０から出力可能な領域の右側（図３における右側）の境界４１２と、記録ヘッド１７１から出力可能な領域の左側（図３における左側）の境界４１０との間の領域である。図５は、接合補正処理に用いられる接合補正パターン（以下、単にパターンという。）の一例を示す図である。接合補正パターンは、予めメモリ１０８，１０９のそれぞれに格納される。図５における上方向が搬送方向である。図３に示す領域４１４における接合補正処理では、例えば、図５（ａ）に示すパターンが用いられる。図５（ａ）に示すパターンは、左の列から右の列に移るに従って、“１”の頻度が減少し、“２”の頻度が増加するように構成されている。“１”は、記録ヘッド１７０からインク滴が出力されることを意味する。“２”は、記録ヘッド１７１からインク滴が出力されることを意味する。出力選択部１４０は、出力位置毎に、パターンによって示される値が“２”である場合には、その出力位置における記録が抑制されるように、当該出力位置に対応する記録データを変更する。パターンによって示される値が“１”である場合には、出力選択部１４０は、その出力位置に対応する記録データを変更せずそのままにする。なお出力選択部１４０は、パターンによって示される値が“２”であるときに、その出力位置に対応する記録データに、記録を抑制する符号を付加するようにしてもよい。出力選択部１４１は、同様に、図５（ａ）に示すパターンによって示される値が“２”であれば、記録データに基づく出力を行い、“１”であれば、その出力位置における記録が抑制されるように、当該出力位置に対応する記録データを変更する。
【００２６】
一方、図３に示す例において、記録ヘッド１７１，１７２の双方で出力可能な領域は、両記録ヘッドの位置により、記録ヘッド１７０，１７１の場合と同様に、境界４２０，４２２の間に制限される。さらに、メモリ１０８，１０９に重複して格納される記録データ（図２に示す領域２０４に対応する記録データ）は、変位量４０１に相当する補正の結果、図３に示す境界４２１，４２３の間の範囲に記録される。よって、記録ヘッド１７１，１７２の双方で出力可能な領域は、記録ヘッド１７２から出力可能な領域の境界４２０に対して変位量４０１を適用した境界４２１と、記録ヘッド１７１から出力可能な領域の境界４２２との間の領域４２４となる。領域４２４については、領域４１４とは幅が異なるため、出力選択部１４１，１４２は、領域４２４に対しては、図５（ａ）とは別に用意された、図５（ｂ）に示すパターンを使用する。このように本実施例では、メモリ１０８，１０９にはそれぞれ、ノズル列方向の幅が異なる複数のパターンが予め格納される。そして出力選択部１４１，１４２は、接合補正処理を適用する領域の幅を判定して、当該判定の結果に基づいて、複数のパターンのいずれかを選択して使用する。位置補正部１３０による位置補正処理に伴い、記録ヘッド１７１でのみ記録可能となった領域４２５については、記録ヘッド１７１が単独でインクを出力する。
【００２７】
以下、図４に示す傾きに対する接合補正処理を説明する。図４に示される破線は、媒体標準位置を表す。図４に示す例において、記録ヘッド１７０，１７１の双方で出力可能な領域は、網掛けの領域５１２である。領域５１２の幅（図５における左右方向の幅）は、記録ヘッド１７０，１７１の配置で決まり、図３における領域４１４と同一である。領域５１２の接合補正処理に用いられるパターンは、図５（ａ）に示すパターンである。記録媒体５００に傾きがある場合、図５（ｃ）に斜線が付された部分のように、パターンにおいて、対応する記録データが存在しない部分が生じる。図５（ｃ）に示す線３０１は、図４に示す記録媒体５００の下側（図４における下側）の端部の一部を表す。接合補正処理に用いられるパターンは、ノズル列方向（図５（ｃ）における行方向）において、対応する記録データが一部でも存在する場合には、その行についてパターンが用意される。
【００２８】
図４に示す例において、記録ヘッド１７１，１７２の双方で出力可能な領域は、領域５２４である。領域５２４は、記録ヘッド１７１，１７２の位置によって定まる境界４２０，４２２と、記録ヘッド１７１，１７２に対応するメモリ１０８，１０９に格納された記録データによって定まる境界５２２，５２３との間の領域である。すなわち領域５２４は、記録ヘッド１７１，１７２の位置による制限と、記録ヘッド１７１，１７２に対応するメモリ１０８，１０９に格納された記録データの範囲による制限とによって決まる。
【００２９】
図６は、領域５２４に対する接合補正パターンの生成方法を説明するための図である。図６（ａ）に示す領域５２４に対して、出力選択部１４１，１４２は、図６（ｂ）に示すように、あらかじめ用意した複数の接合補正パターン６０１〜６０８を組み合わせる。各接合補正パターンは、互いに、所定幅（図６における左右方向の長さ）または高さ（図６における上下方向の長さ）の少なくとも一方が異なっている。このとき、接合補正パターン６０１〜６０８を組み合わせた領域が、記録ヘッド１７１，１７２の位置による制限と、メモリ１０８，１０９に格納された記録データの範囲による制限とを超えないようにする。また、接合補正パターン６０１〜６０８を組み合わせた領域が、記録媒体の搬送方向における両端部を包含するようにする。これにより、搬送方向に対して一定の幅を有さない領域５２４に対して、適切な接合補正処理を行うことが可能になる。なお、領域５２４の範囲内ではあるが、接合補正パターン６０１〜６０８に含まれない部分については、接合補正パターンの左側の領域は記録ヘッド１７１、右側の領域は記録ヘッド１７２から出力すれば良い。
【００３０】
媒体配置情報取得部１１０の構成を説明する。図７は、記録媒体が媒体配置情報取得部１１０によって検出される様子を示す図である。図７に示すように、媒体配置情報取得部１１０は、記録ヘッド１７０〜１７３の中央に配置される、記録媒体を検出するための第１のセンサ部７０１と、記録ヘッド１７０の端部に配置された第２のセンサ部７０２とを含む。例えば、第１のセンサ部７０１および第２のセンサ部７０２には、可視光、赤外光、超音波を利用したセンサが利用可能である。
【００３１】
第２のセンサ部７０２は、直線状に並べられた複数のセンサ（本実施例では５つのセンサ）から構成される。図７に示される丸印は、センサを表す。第２のセンサ部７０２は、ノズル列方向に沿って配置され、各センサで記録媒体を検出する。位置補正部１３０〜１３３は、第２のセンサ部７０２の検出結果から、記録媒体７００の位置のずれ量を判別可能である。
【００３２】
また、位置補正部１３０〜１３３は、第１のセンサ部７０１、または、第２のセンサ部７０２のいずれか一方が記録媒体７００を検出した時点から、他方のセンサ部で記録媒体７００を検出するまでの時間を取得する。位置補正部１３０〜１３３は当該時間と搬送速度とに基づいて、記録媒体７００の傾きを判別できる。
【００３３】
図７に示すように、第２のセンサ部７０２は、一方の端が記録ヘッド１７０の左端（図７における左端）よりも外側（図７における左側）になるように、配置される。それにより、補正の限度を超える位置ずれを検出することが可能となる。これは、補正の限度を超える位置ずれが発生した場合に、記録装置を停止させたり、記録媒体を媒体標準位置に戻してからやり直したりすることを可能とするためである。
【００３４】
以上のように、各記録ヘッドの配置による制限と、各記録ヘッドに対応するメモリに分割して格納された記録データの範囲による制限とを超えない範囲で、記録ヘッドのつなぎ目で接合補正処理をしながら、記録媒体に画像を記録することが可能となる。
【００３５】
図８は、位置補正部１３０〜１３３が行う補正処理を説明するための図である。図８（ａ）には、記録媒体を基準とする座標系（ｘ，ｙ）と、記録装置上の座標系（ｕ，ｖ）との対応が示されている。座標系（ｘ，ｙ）上の矩形は、メモリ１０８，１０９に格納された記録データ（領域分割前の記録データ）の、記録媒体上における出力範囲を表す。ｖ軸は記録媒体の搬送方向を示す。ｕ軸はノズル列方向、すなわち記録ヘッドの配列方向を示す。ここで、θは媒体配置情報取得部１１０で取得された記録媒体の傾きである。また、ｖｏｆｓは、記録媒体上の所定の位置における、記録媒体の搬送方向のずれ量である。また、ｕｏｆｓは、記録媒体上の所定の位置における、記録媒体のノズル列方向のずれ量である。位置補正部１３０〜１３３は、これらの値を、媒体配置情報から取得する。
【００３６】
両座標系の関係は、図８（ｂ）の行列式で表される。ここでは、（ｘ，ｙ）、および、（ｕ，ｖ）それぞれに“１”の項を加え、平行移動を表現可能にしている。図８（ｂ）に示す式によって、記録データにおいて記録媒体を基準とする座標系（ｘ，ｙ）で表されるインクの出力位置が、座標変換され、記録装置上の座標系（ｕ，ｖ）で表される。図８（ｂ）に示す式を、図８（ｃ）に示すように、ｕ軸方向の補正を表す行列８０１（ｖについて不変）、および、ｖ軸方向の補正を表す行列８０２（ｕについて不変）で近似する。ここで、ｖ１の値は、ｖ１＝ｖｏｆｓ−ｕｏｆｓ・ｓｉｎθとする。
【００３７】
図８（ｃ）に示す行列８０１、および、行列８０２をまとめると、図８（ｄ）になる。図８（ｄ）において、θが微少であることを前提として、ｃｏｓθ＝１，ｓｉｎθの２次の項を０とみなせば、図８（ｂ）と等価である。よって、まず、位置補正部１３０〜１３３は、ｕ軸方向の補正（行列８０１）を適用し、図９（ａ）に示す鎖線の形状から実線の形状に変換すればよい。そして、次に、位置補正部１３０〜１３３は、ｖ軸方向の補正（行列８０２）を適用し、図９（ｂ）に示す鎖線の形状から実線の形状へと変換すれば良い。
【００３８】
図９（ｃ）には、ｖ軸方向の補正を説明するための具体例が示されている。図９（ｃ）における薄い網掛けの領域は、一律の変位量を表し、行列８０２におけるｖ１に相当する。また、図９（ｃ）における濃い網掛けの領域は、各出力位置に応じた変位量を表し、ｘ・ｓｉｎθにより求めることが可能である。図９（ｃ）に示す線９０１は、図９（ｂ）に示す実線の形状の上側（図９における上側）の端部の一部を表す。
【００３９】
このように、ｕ軸方向の補正と、ｖ軸方向の補正とを別々に行うことにより、例えば、位置補正部１３０〜１３３が、図９（ｂ）に示す変換をせずに、出力インタフェース部１６０〜１６３が、図９（ｂ）に示す変換に相当する補正を行うことが可能となる。そのような形態を実現するには、例えば、位置補正部１３０〜１３３が、各出力位置に応じた変位量（ｘ・ｓｉｎθ）を求め、当該変位量と記録媒体の搬送速度（ν）とから以下の式に基づいて、当該各出力位置における遅延時間（Δｔ）を決定すればよい。そして、出力インタフェース部１６０〜１６３が、位置補正部１３０〜１３３によって決定されたΔｔに基づいて、記録ヘッドから出力されるインクの吐出タイミングを調整すればよい。  
Δｔ＝ｘ・sinθ／ν
【００４０】
以上のように本実施例では、各データパスにおいて、記録ヘッドの配置による制限と、各プロセッサに対応するメモリに分割して格納された記録データの範囲による制限内で、記録ヘッド間のつなぎ目に対する接合補正処理を実行させる。よって、記録媒体が所定の位置からずれたり傾いたりした場合でも、接合補正処理の際に、各データパスにおいて他のプロセッサに対応するメモリに格納された記録データを参照する必要がない。したがって本実施例によれば、互いに重複させて複数連結したフルマルチヘッドの記録装置において、記録媒体が所定の位置からずれたり傾いたりした場合でも、適切に接合補正処理を行うことができる。
【００４１】
なお、本実施例では、図８（ｂ）に示す式を変換した、図８（ｃ）に示す式に基づいて位置補正処理を行っているが、図８（ｂ）に示す式をそのまま用いて位置補正処理を行うようにしてもよい。
【００４２】
また、本実施例では、画像を記録する記録装置を例にしたが、本発明は、記録ヘッドが表面改質のための無色透明のインクを吐出する記録装置にも適用可能である。また、記録媒体は、紙以外であってもよく、例えば、表面を加工した樹脂板（ＤＶＤなど）や布であってもよい。したがって、本発明は、染料を布に印捺する捺染加工を行う記録装置にも適用可能である。また本発明は、導電性インクを使用して、紙や樹脂基板に対して電気配線パターンの形成を行う記録装置にも適用可能である。
【００４３】
（その他の実施例）
本発明は、上述の実施例の１以上の機能を実現するプログラムを、ネットワークまたは記憶媒体を介してシステムまたは装置に供給し、そのシステムまたは装置のコンピュータにおける１つ以上のプロセッサがプログラムを読み出し実行する処理でも実現可能である。また、１以上の機能を実現する回路（例えば、ＡＳＩＣ）によっても実現可能である。
【符号の説明】
【００４４】
１０６，１０７  プロセッサ
１０８，１０９  メモリ
１３０〜１３３  位置補正部
１４０〜１４３  出力選択部
【図１】
2017149117.tif 000003
【図２】
2017149117.tif 000004
【図３】
2017149117.tif 000005
【図４】
2017149117.tif 000006
【図５】
2017149117.tif 000007
【図６】
2017149117.tif 000008
【図７】
2017149117.tif 000009
【図８】
2017149117.tif 000010
【図９】
2017149117.tif 000011